(57)【要約】【課題】現場での施工作業が簡便となり、作業時間が短縮され、また作業中に結合するための部材が紛失してしまうおそれがない浸透トレンチ用ユニット体同士の結合構造を提供する。【解決手段】隣接する浸透トレンチ用ユニット体１０，１０のうち、一方の浸透トレンチ用ユニット体１０の側縁部２１からは結合用舌片３０が差し出され、該結合用舌片３０には係合部３０Ｂが設けられており、他方の浸透トレンチ用ユニット体１０の外周面には、前記結合用舌片３０の係合部３０Ｂと係合可能な結合用被係合部３１が設けられており、一方の浸透トレンチ用ユニット体１０の結合用舌片３０の係合部３０Ｂが、他方の浸透トレンチ用ユニット体１０の結合用被係合部３１と係合することで、隣接する浸透トレンチ用ユニット体１０，１０同士が結合状態となる。【選択図】図５
2014020104.tif 000002
【特許請求の範囲】
【請求項１】
浸透トレンチ用ユニット体が複数結合されて浸透トレンチとなる際の該浸透トレンチ用ユニット体同士の結合構造であって、
隣接する浸透トレンチ用ユニット体のうち、一方の浸透トレンチ用ユニット体に形成されている側縁部からは結合用舌片が差し出され、該結合用舌片には係合部が設けられており、
他方の浸透トレンチ用ユニット体の外周面には、前記結合用舌片の係合部と係合可能な結合用被係合部が設けられており、
一方の浸透トレンチ用ユニット体の結合用舌片の係合部が、他方の浸透トレンチ用ユニット体の結合用被係合部と係合することで、隣接する浸透トレンチ用ユニット体同士が結合状態となることを特徴とする浸透トレンチ用ユニット体同士の結合構造。
【請求項２】
前記結合用舌片は、前記浸透トレンチ用ユニット体の側縁部と一体成形されて形成されている請求項１に記載の浸透トレンチ用ユニット体同士の結合構造。
【請求項３】
前記結合用舌片の中間部には、該結合用舌片における他の部位に比して薄肉に形成された折曲部が設けられ、該折曲部よりも先端側に前記係合部が配設されており、
該折曲部を基準にして該結合用舌片が折曲自在となっている請求項１又は請求項２に記載の浸透トレンチ用ユニット体同士の結合構造。
【請求項４】
請求項１乃至請求項３のいずれか１項に記載の浸透トレンチ用ユニット体同士の結合構造を備える浸透トレンチであって、
前記浸透トレンチ用ユニット体の側壁部の下端には、互いに対向する一対の保守管理用開口部が設けられており、
さらに、該浸透トレンチ用ユニット体は、前記側壁部の下端に取り付けられたベース部材を備え、該ベース部材の上面に、一端が前記一方の保守管理用開口部に臨み、他端が前記他方の保守管理用開口部に臨む凹溝が、該ベース部材を横断するように設けられており、
隣接する浸透トレンチ用ユニット体同士が結合した際に、一方の浸透トレンチ用ユニット体における保守管理用開口部と、他方の浸透トレンチ用ユニット体における保守管理用開口部とが連通してなることを特徴とする浸透トレンチ。
【請求項５】
前記浸透トレンチ用ユニット体のベース部材に形成された凹溝の両側のベース部材上面が、該凹溝に向かって下方傾斜している請求項４に記載の浸透トレンチ。
【請求項６】
前記他方の浸透トレンチ用ユニット体が浸透トレンチにおける端部に位置している場合にあって、
該他方の浸透トレンチ用ユニット体に設けられた結合用舌片の係合部が、該他方の浸透トレンチ用ユニット体の外周面に設けられた仮止め用被係合部と係合している請求項４又は請求項５に記載の浸透トレンチ。
【請求項７】
前記浸透トレンチ用ユニット体の側壁部が、互いに同一寸法形状である複数の側板部材によって構成されている請求項４乃至請求項６のいずれか１項に記載の浸透トレンチ。
【請求項８】
請求項４乃至請求項７のいずれか１項に記載の浸透トレンチに用いられる浸透トレンチ用ユニット体の側壁部が複数の側板部材で構成される場合の該側板部材であって、
該側板部材の外側面に、前記結合用舌片が配設されていると共に、該側板部材の内側面に、該結合用舌片の係合部が係合可能な収納用被係合部が配設されていることを特徴とする側板部材。
【請求項９】
前記浸透トレンチ用ユニット体における鉛直方向の軸線に直交する断面においてＬ字形状である請求項８に記載の側板部材。
【請求項１０】
請求項４乃至請求項７のいずれか１項に記載の浸透トレンチの施工方法であって、
一方の浸透トレンチ用ユニット体と、他方の浸透トレンチ用ユニット体とを結合させる際に、該一方の浸透トレンチ用ユニット体の一方の保守管理用開口部と、該他方の浸透トレンチ用ユニット体の一方の保守管理用開口部とを対置させて連通させる工程を含むことを特徴とする浸透トレンチの施工方法。
【発明の詳細な説明】
【技術分野】
【０００１】
本発明は、雨水を地中に緩やかに浸透させることができる浸透トレンチにあって、浸透トレンチ用ユニット体同士の結合構造、該結合構造を有する浸透トレンチ、前記浸透トレンチ用ユニット体を構成するための側板部材、及び前記浸透トレンチの施工方法に関する。
【背景技術】
【０００２】
従来から、水害防止対策の一つとして各家屋からの雨水流出を抑制する浸透トレンチは、既に知られている（例えば、特許文献１参照。）。
【０００３】
例えば、特許文献１に開示された構成は、浸透トレンチを構成するために個々の連結ユニットを結合パーツによって連結し、これにより隣り合う二つのユニットが緊密に連結される。該結合パーツは、第１脚部と第２脚部とを有し、そして、該結合パーツの第１脚部を一方の連結ユニットに配された支持穴に嵌入し、第２脚部を他方の連結ユニットに配された本止め穴に差し込むことにより、隣り合う二つの連結ユニットが緊密に連結される。
【先行技術文献】
【特許文献】
【０００４】
【特許文献１】特開２００４−１８３２９４号公報
【発明の概要】
【発明が解決しようとする課題】
【０００５】
しかしながら、上記結合パーツは単体部材であって、隣り合う二つの連結ユニットとは別部材であるため、施工現場にて、該結合パーツが連結ユニットの壁から外れてしまって紛失してしまうおそれがあった。特に施工現場は、地面を深く掘削したところであって、落とした結合パーツを容易に取り上げることができない状況も多い。このように結合パーツを紛失してしまうおそれがあると、施工の作業効率が極めて低下してしまうし、施工現場に予備の結合パーツを必ず準備して取り置きしておかなければならなくなり、無駄が多くなる。
【０００６】
そこで本発明は、複数の浸透トレンチ用ユニット体からなる浸透トレンチであって、現場での施工作業が簡便となり、作業時間が短縮され、また結合するための部材が作業中に紛失してしまうおそれがない浸透トレンチ用ユニット体同士の結合構造、該結合構造を有する浸透トレンチ、前記浸透トレンチ用ユニット体を構成する側板部材、及び浸透トレンチの施工方法を提供することを目的とする。
【課題を解決するための手段】
【０００７】
本発明は、浸透トレンチ用ユニット体が複数結合されて浸透トレンチとなる際の該浸透トレンチ用ユニット体同士の結合構造であって、隣接する浸透トレンチ用ユニット体のうち、一方の浸透トレンチ用ユニット体に形成されている側縁部からは結合用舌片が差し出され、該結合用舌片には係合部が設けられており、他方の浸透トレンチ用ユニット体の外周面には、前記結合用舌片の係合部と係合可能な結合用被係合部が設けられており、一方の浸透トレンチ用ユニット体の結合用舌片の係合部が、他方の浸透トレンチ用ユニット体の結合用被係合部と係合することで、隣接する浸透トレンチ用ユニット体同士が結合状態となることを特徴とする浸透トレンチ用ユニット体同士の結合構造である。
【０００８】
かかる構成とすることにより、浸透トレンチ用ユニット体同士を確実に結合させて浸透トレンチとすることが可能となる。ここで、浸透トレンチ用ユニット体同士を結合するための構造は、あらかじめ設けられている結合用舌片を使用する構成であるため、別部材である固定部材を現場で取り付ける等の作業が不要である。したがって、現場での施工作業が簡便となり、作業時間が短縮され、また固定部材を作業中に紛失してしまうおそれがなくなる利点もある。さらに、浸透トレンチ用ユニット体同士を結合させる際に、作業者は結合用舌片を指標として、結合用被係合部の位置や、該浸透トレンチ用ユニット体の正しい向きを容易に把握することができるため、作業効率が飛躍的に向上する利点もある。
【０００９】
また、前記結合用舌片は、前記浸透トレンチ用ユニット体の側縁部と一体成形されて形成されていることが好ましい。
【００１０】
かかる構成とすることにより、浸透トレンチ用ユニット体同士の結合構造が極めて簡便な構造になると共に、必要な部品点数が少なくなるため、製造コストが飛躍的に小さくなる。また、結合に必要な部品を施工現場で紛失してしまうことがなくなるため、予備品を一切準備する必要がなく、無駄が生じない。
【００１１】
また、前記結合用舌片の中間部には、該結合用舌片における他の部位に比して薄肉に形成された折曲部が設けられ、該折曲部よりも先端側に前記係合部が配設されており、該折曲部を基準にして該結合用舌片が折曲自在となっている構成としてもよい。
【００１２】
かかる構成とすることにより、簡易な構造で該結合用舌片を折り曲げ自在とすることができる。したがって、作業者は、浸透トレンチ用ユニット体同士を結合する際に、適宜、該結合用舌片を折り曲げながら結合用舌片の係合部と、結合用被係合部とを位置合わせし、そして係合状態とすることができる。これにより、例えば結合用舌片によって相手部材を傷つけてしまうことなく、容易かつ安全に作業することができる。
【００１３】
また、本発明は、上記の浸透トレンチ用ユニット体同士の結合構造を備える浸透トレンチであって、前記浸透トレンチ用ユニット体の側壁部の下端には、互いに対向する一対の保守管理用開口部が設けられており、さらに、該浸透トレンチ用ユニット体は、前記側壁部の下端に取り付けられたベース部材を備え、該ベース部材の上面に、一端が前記一方の保守管理用開口部に臨み、他端が前記他方の保守管理用開口部に臨む凹溝が、該ベース部材を横断するように設けられており、隣接する浸透トレンチ用ユニット体同士が結合した際に、一方の浸透トレンチ用ユニット体における保守管理用開口部と、他方の浸透トレンチ用ユニット体における保守管理用開口部とが連通してなることを特徴とする浸透トレンチである。
【００１４】
かかる構成にあって、浸透トレンチ用ユニット体内に浸入した雨水は、前記ベース部材の凹溝内に流入し、該雨水に含まれるゴミ等が該凹溝に堆積する。ここで、前記保守管理用開口部は、浸透トレンチ用ユニット体内に浸入したゴミ等を清掃するための清掃具や、浸透トレンチ用ユニット体の内部を点検するためのカメラ等を挿入するために使用される。したがって、例えば長尺のロッドを備える公知の清掃具が、該保守管理用開口部を介して浸透トレンチ用ユニット体の外部から内部に挿入されることで、該浸透トレンチ用ユニット体内の凹溝に蓄積されたゴミ等が捕捉され、そして該清掃具が該保守管理用開口部から引き出されることでゴミ等が適切に回収される。ここで、上記発明は、結合用舌片により浸透トレンチ用ユニット体同士が適切に配置されて結合するため、浸透トレンチ用ユニット体において該ベース部材に形成された凹溝と、側壁部に形成された保守管理用開口部とが位置ずれすることなく互いに正しく配置され、かつ、一方の浸透トレンチ用ユニット体における保守管理用開口部と、他方の浸透トレンチ用ユニット体における保守管理用開口部とが適正に対向配置されて開口部同士が連通する。このように、保守管理用開口部が複数の浸透トレンチ用ユニット体にわたって適切に連通すると、例えば前記清掃具を複数の浸透トレンチ用ユニット体にわたって円滑に挿入したり抜き出したりすることが可能となり、また、前記凹溝の案内作用により、該凹溝の内壁に沿って清掃具等を所望位置まで容易に案内させることができ、浸透トレンチの保守点検作業が極めて効率良く行えるものとなる。
【００１５】
また、前記浸透トレンチ用ユニット体のベース部材に形成された凹溝の両側のベース部材上面が、該凹溝に向かって下方傾斜していることが好ましい。
【００１６】
かかる構成とすることにより、傾斜した上面の案内作用を利用して、ベース部材上面に堆積したゴミ等を効率良く前記凹溝内に集中させることができる。
【００１７】
また、前記他方の浸透トレンチ用ユニット体が浸透トレンチにおける端部に位置している場合にあって、該他方の浸透トレンチ用ユニット体に設けられた結合用舌片の係合部が、該他方の浸透トレンチ用ユニット体の外周面に設けられた仮止め用被係合部と係合している構成としてもよい。
【００１８】
かかる構成とすることにより、浸透トレンチ用ユニット体同士の結合に不要な結合用舌片をそのまま差し出したままにせずに、該結合用舌片をばたつかせることなく固定し、かつ突出長さを可及的に短くしておくことができる。
【００１９】
また、前記浸透トレンチ用ユニット体の側壁部が、互いに同一寸法形状である複数の側板部材によって構成されていてもよい。
【００２０】
かかる構成とすることにより、浸透トレンチを構成するために必要な部品の金型を多数準備する必要がなくなり、製造コストを大幅に抑えることが可能となる。また、使用する側板部材が１種であるため、使用する部材の選定作業が不要となり、現場での施工作業が極めて簡便となる。
【００２１】
また、本発明は、上記の浸透トレンチに用いられる浸透トレンチ用ユニット体の側壁部が複数の側板部材で構成される場合の該側板部材であって、該側板部材の外側面に、前記結合用舌片が配設されていると共に、該側板部材の内側面に、該結合用舌片の係合部が係合可能な収納用被係合部が配設されていることを特徴とする側板部材である。
【００２２】
かかる構成とすることにより、結合用舌片を使用せずに側板部材を運搬・収納するときには、該結合用舌片を収納用被係合部と係合させて、該結合用舌片をばたつかせることなく固定し、かつ突出長さを可及的に短くしておくことができる。これにより、側板部材の運搬・収納作業時に、結合用舌片が邪魔になることがない。
【００２３】
また、前記浸透トレンチ用ユニット体における鉛直方向の軸線に直交する断面においてＬ字形状であることが好ましい。
【００２４】
かかる構成とすることにより、該側板部材の製造時において、Ｌ字形状に曲がった角部にリブなどを設けて、あらかじめ強度を高めておくことができる。また、例えば平板状の側板部材を４枚用いて断面矩形の筒状体を構成するよりも側板部材の結合箇所が少なくなるため強度的に安定し、施工現場等における結合作業の手間も軽減することができる。また、一体成形された筒状体に比べて成形コストを抑えることができるし、製造工場等から運搬する際にも手間がかかりにくい。
【００２５】
さらに、本発明は、上記の浸透トレンチの施工方法であって、一方の浸透トレンチ用ユニット体と、他方の浸透トレンチ用ユニット体とを結合させる際に、該一方の浸透トレンチ用ユニット体の一方の保守管理用開口部と、該他方の浸透トレンチ用ユニット体の一方の保守管理用開口部とを対置させて連通させる工程を含むことを特徴とする浸透トレンチの施工方法である。
【００２６】
かかる構成とすることにより、複数の浸透トレンチ用ユニット体にわたって保守管理用開口部を連通させることが容易に可能となる。また、作業者は、各浸透トレンチ用ユニット体の保守管理用開口部を目で確認しながら該浸透トレンチ用ユニット体の正しい向きを把握して設置作業を行うことができるため、施工作業が大幅に簡素化されて迅速に行える利点がある。
【発明の効果】
【００２７】
本発明にかかる浸透トレンチ用ユニット体同士の結合構造は、結合のために必要な部材を紛失してしまうことがないため、作業効率が低下してしまうことがない。一方、結合作業時に、結合用舌片を指標として浸透トレンチ用ユニット体の正しい向きが容易に判別可能となるため、作業効率が飛躍的に向上する。
【００２８】
また、本発明に係る浸透トレンチは、簡便な結合作業により、浸透トレンチ用ユニット体同士を複数結合させて構成することできる。また、保守管理用開口部が複数の浸透トレンチ用ユニット体にわたって連通するため、保守管理の作業性に優れている。
【００２９】
また、本発明にかかる側板部材は、結合用舌片を固定して可及的に突出長さを短くしておくことができるため、該結合用舌片が運搬時に邪魔になることがない。
【００３０】
さらに、本発明の浸透トレンチの施工方法は、浸透トレンチ用ユニット体を容易かつ迅速に結合させることができ、結合作業が容易となる効果があると共に、保守管理用開口部が複数の浸透トレンチ用ユニット体にわたって連通するため、保守管理の作業性も向上する効果がある。
【図面の簡単な説明】
【００３１】
【図１】浸透トレンチを示す外観斜視図。
【図２】浸透トレンチ用ユニット体を示す外観斜視図。
【図３】側板部材を示す外観斜視図。
【図４】ベース板を示す外観斜視図。
【図５】浸透トレンチ用ユニット体同士の結合構造を示す斜視図であって、(ａ）は結合作業完了前を示し、（ｂ）は結合作業完了後を示す。
【図６】浸透トレンチの端部に配された浸透トレンチ用ユニット体の結合用舌片を示す斜視図であって、（ａ）は結合用舌片の仮止め作業完了前を示し、（ｂ）は仮止め作業完了後を示す。
【図７】運搬する際の側板部材の結合用舌片を示す外観斜視図。
【図８】他の実施例にかかる浸透トレンチを示す説明図。
【発明を実施するための形態】
【００３２】
以下、本発明を具体化した実施例を詳細に説明する。
【００３３】
（浸透トレンチ１Ａ）
図１に示すように、浸透トレンチ１Ａは、複数の浸透トレンチ用ユニット体１０が左右方向に連結して構成されている。そして、該浸透トレンチ１Ａが、地中に配置されることで、その内部に雨水が一時的に貯留され、かつ一時的に貯留された雨水が外部の地中へ徐々に浸透可能となる。なお、前記浸透トレンチ用ユニット体１０同士の結合構造Ａについては、後で詳述する。
【００３４】
（浸透トレンチ用ユニット体１０）
図１，２に示すように、浸透トレンチ用ユニット体１０は、全体として箱状体からなり、横断面矩形状で軸線が鉛直方向に沿った筒体からなる側壁部１２と、該側壁部１２の下部に取り付けられるベース板（ベース部材）１４と、該側壁部１２の上部に取り付けられる天板１６とにより構成されている。
【００３５】
前記筒状の側壁部１２は、図３に示す側板部材１２０が使用されて構成されている。さらに詳述すると、該側板部材１２０は、樹脂材料からなり、前記筒状の側壁部１２の軸線方向に対して直交する断面がＬ字形状とされている。そして、この側板部材１２０が同一の寸法形状で一対準備され、該側板部材１２０の左右両端に形成された縦長帯状の端部２１，２２が互いに突き合わされて、さらに該端部２１，２２に形成された複数の結合手段２０を介して互いが結合されることで、前記側壁部１２が構成される。なお、該一対の側板部材１２０，１２０は、共通の金型で作製されることで互いに同一寸法形状とされる。
【００３６】
なお、前記結合手段２０は、図３に示すように、例えば、一方の側板部材１２０の端部２１に設けられている第１係合部２１Ａ、及び第２係合部２１Ｂを、他方の側板部材１２０の端部２２に設けられている第１被係合部２２Ａ、及び第２被係合部２２Ｂにそれぞれ係合させる構成が採用可能である。ただし、これに限定されるものではない。
【００３７】
また、図１〜３に示すように、前記側板部材１２０には、雨水を浸透させるための透水孔１２Ａが多数貫通状に設けられている。
【００３８】
さらに、図１，２に示すように、前記浸透トレンチ用ユニット体１０の側壁部１２における下端に対応する位置には、アーチ状に切り欠いて形成された一対の保守管理用開口部１２Ｂ，１２Ｂが互いに対向するようにして設けられている。
【００３９】
また、図４に示す前記浸透トレンチ用ユニット体１０のベース板１４は、側壁部１２の下側の開口を遮蔽できる寸法形状に設定されており、その上面中央に凹溝１４Ｂが形成されている。さらに詳述すると、該凹溝１４Ｂは、該ベース板１４を横断するように設けられており、側壁部１２に組み付けられたときに該凹溝１４Ｂの一端が前記一対の保守管理用開口部１２Ｂ，１２Ｂのうち一方の保守管理用開口部１２Ｂに臨み、他端が他方の保守管理用開口部１２Ｂに臨む配置となっている。すなわち、側壁部１２にベース板１４が取り付けられた際に、凹溝１４Ｂの長軸方向に沿う軸線と、一対の保守管理用開口部１２Ｂ同士の対向方向に沿う保守管理用開口部１２Ｂの軸線とが一致することになる。さらに、該ベース板１４にあって、前記凹溝１４Ｂの両側に配されたベース板上面１４Ａは、該凹溝１４Ｂに向かって下方傾斜している。
【００４０】
また、図１，２に示すように、複数ある浸透トレンチ用ユニット体１０の少なくともいずれかの天板１６には、接続口１６Ａが貫通状に形成されている。該接続口１６Ａには、天板１６の上面に載置された公知の雨水ます（図示省略）の一部が接続され、該接続口１６Ａを介して該浸透トレンチ用ユニット体１０の内部と、該雨水ますの内部とが連通した状態となる。
【００４１】
（結合構造Ａ）
次に、互いに隣接する前記浸透トレンチ用ユニット体１０同士の結合構造Ａについて詳述する。
【００４２】
図２，３，５等に示すように、浸透トレンチ用ユニット体１０における側壁部１２に形成された鉛直方向に沿って形成された側縁部（いわゆる出隅）２３には、該側縁部２３から外方に向かって略水平に差し出された薄板片状の結合用舌片３０が設けられている。該結合用舌片３０は、側板部材１２０の製造過程において該側縁部２３と一体成形されて形成される。
【００４３】
また、前記結合用舌片３０の中間部には、該結合用舌片３０における他の部位に比して薄肉に形成された折曲部３０Ａが設けられている。該折曲部３０Ａは、結合用舌片３０の差出方向（すなわち水平方向）に対して直交する方向(すなわち鉛直方向)に沿って薄肉部が形成されてなり、鉛直方向に沿って形成された折り曲げ線を基準にして、該結合用舌片３０が内側（当該側板部材１２０側）に円弧を描くように折り曲げ可能とされている。さらに、該折曲部３０Ａよりも先端側に、係合部３０Ｂが内側向きに突設されている。
【００４４】
さらに、隣に配置された際の浸透トレンチ用ユニット体１０における前記結合用舌片３０に対応する側壁部１２の外周面には、矩形状の開口孔で構成された結合用被係合部３１が設けられている。該結合用被係合部３１は、その開口孔の孔縁に前記結合用舌片３０の係合部３０Ｂが係止可能となっており、かかる構成により、隣に配置された際の浸透トレンチ用ユニット体１０の前記結合用舌片３０と当該浸透トレンチ用ユニット体１０の該結合用被係合部３１とが係合可能となっている。
【００４５】
具体的には、図２，３に示すように、断面Ｌ字状の側板部材１２０における互いに直交した第１面部αと第２面部βのうち、第１面部αの外周面の一方の側縁部２３に結合用舌片３０が形成され、他方の側縁部２３に結合用被係合部３１が形成されている。また、第２面部βの下端中央に保守管理用開口部１２Ｂが一つ形成されている。なお、結合用舌片３０の差出長さをできる限り短くするため、該結合用被係合部３１は、側壁部１２の側縁部２３にできる限り近い位置に設けられることが好ましい。
【００４６】
上記構成にあって、浸透トレンチ用ユニット体１０同士を結合して浸透トレンチ１Ａとする際には、まず、掘削された所定の配置箇所に、一方の浸透トレンチ用ユニット体１０と、他方の浸透トレンチ用ユニット体１０とを並べて配置する。このとき、一方の浸透トレンチ用ユニット体１０の一方の保守管理用開口部１２Ｂと、他方の浸透トレンチ用ユニット体１０の一方の保守管理用開口部１２Ｂとを対置するように配置し、該保守管理用開口部１２Ｂ同士を連通した状態となるように並べ置く。なお、作業者は、外向きに差し出されている結合用舌片３０を目で確認しながら、該浸透トレンチ用ユニット体１０の正しい向きを把握して作業を行うことができる。
【００４７】
次いで、互いに隣接する浸透トレンチ用ユニット体１０，１０において、図５ａに示すように、一方の浸透トレンチ用ユニット体１０の結合用舌片３０を、適宜撓ませ、または折曲部３０Ａにおいて該結合用舌片３０を折曲させながら、他方の浸透トレンチ用ユニット体１０の結合用被係合部３１と係合させる（図５ｂ参照）。これにより、隣接する浸透トレンチ用ユニット体１０同士が確実に結合状態となる。なお、この結合状態においては、一方の浸透トレンチ用ユニット体１０における保守管理用開口部１２Ｂと、他方の浸透トレンチ用ユニット体１０における保守管理用開口部１２Ｂとが整一に連続した状態となり、前記保守管理用開口部１２Ｂ間に差し渡された凹溝１４Ｂの長手方向の軸線と、一対の保守管理用開口部１２Ｂの対向方向に沿う軸線とが一致して複数の浸透トレンチ用ユニット体１０にわたって凹溝１４Ｂと保守管理用開口部１２Ｂとが一直線上に配置されることとなる。
【００４８】
上記構成にあって、浸透トレンチ用ユニット体１０同士の結合構造Ａは、側板部材１２０に一体成形されている結合用舌片３０を利用するものであるため、現場での施工作業が簡便となって作業時間が短縮されると共に、作業中に該結合用舌片３０を紛失してしまうことがない。また、上述のように、浸透トレンチ用ユニット体１０同士を結合させる際に、作業者は結合用舌片３０を指標として、結合用被係合部３１の位置や、該浸透トレンチ用ユニット体１０の正しい向きを容易に把握することができるため、作業効率が飛躍的に向上する。
【００４９】
ところで、浸透トレンチ用ユニット体１０内に浸入した雨水に含まれるゴミ等は、前記ベース板１４のベース板上面１４Ａの案内作用に従って該ベース板１４の凹溝１４Ｂに流入して堆積する。このように凹溝１４Ｂ内に堆積したゴミ等の回収処理や、あるいは定期的な内部の点検等は、以下のようにして行われる。
【００５０】
例えば浸透トレンチ用ユニット体１０内に浸入したゴミ等を清掃するためには、公知の排水管用清掃具Ｘが、前記天板１６の接続口１６Ａを介して浸透トレンチ用ユニット体１０内に挿入される。該清掃具Ｘとしては、例えば長いロッドの先端に渦巻きバネ状のヘッドが形成された公知の清掃具（例えば、株式会社カンツール社製：配水管清掃機）が好適に使用できる。
【００５１】
さらに、前記清掃具Ｘのヘッドを、複数の浸透トレンチ用ユニット体１０にわたって一直線上となった凹溝１４Ｂを走行させて、該凹溝１４Ｂに蓄積されたゴミ等を捕捉する。該清掃具Ｘは、該凹溝１４Ｂの案内作用に従って該凹溝１４Ｂの内壁に沿って容易に走行することができる。そして、挿入した該清掃具Ｘを前記天板１６の接続口１６Ａから引き出すことでゴミ等を回収することができる。このとき、清掃具Ｘは、前記凹溝１４Ｂの案内作用に従って、隣接する保守管理用開口部１２Ｂと連通する他の保守管理用開口部１２Ｂを介して円滑に浸透トレンチ用ユニット体１０内に対して挿入したり抜き出したりすることが可能であるため、保守点検作業が極めて効率良く行える。
【００５２】
ところで、図６に示すように、前記浸透トレンチ１Ａにおいて複数連結した浸透トレンチ用ユニット体１０のうち、端部に位置している浸透トレンチ用ユニット体１０には、その側壁部１２に、当該浸透トレンチ用ユニット体１０の結合用舌片３０の係合部３０Ｂが係合可能な開口孔からなる仮止め用被係合部３１Ａを配置するようにしてもよい（図６ａ参照）。
【００５３】
そして、浸透トレンチ用ユニット体１０同士の結合に不要な結合用舌片３０をそのまま差し出したままにせずに、該仮止め用被係合部３１Ａの孔縁に該結合用舌片３０の係合部３０Ｂを係合させておくことが好ましい（図６ｂ参照）。かかる構成とすることにより、該結合用舌片３０をばたつかせることなく固定し、かつ突出長さを可及的に短くしておくことができる。
【００５４】
また、図７に従って、側板部材１２０の運搬や収納等を容易とする構成について説明する。
前記側板部材１２０の端部２１の内側面（側壁部１２の内側となる面）には、該端部２１に設けられている結合用舌片３０の係合部３０Ｂが係合可能な開口孔を有する収納用被係合部３１Ｂが配設されている。そして、該側板部材１２０を納品先あるいは施工現場まで運搬する際には、該結合用舌片３０を折曲部３０Ａで折り畳み、該結合用舌片３０の係合部３０Ｂを、該結合用舌片３０の基端に近い前記収納用被係合部３１Ｂの孔縁に係合させておく。
【００５５】
かかる構成とすることにより、結合用舌片３０を実際に使用するまでは、該結合用舌片３０を収納用被係合部３１Ｂに係合させて、該結合用舌片３０をばたつかせることなく固定し、かつ突出長さを可及的に短くしておくことができる。これにより、側板部材１２０の運搬・収納作業時に、結合用舌片３０が邪魔になることがない。
【００５６】
本発明は、上記実施例に限定されることはなく、本発明の主旨を逸脱しない範囲で適宜変更することができる。
例えば、図８に示す浸透トレンチ１Ｂのように、浸透トレンチ用ユニット体１０が一直線上に配列されるだけでなく、適宜、配列方向が変更されていてもよい。
【００５７】
また、前記浸透トレンチ用ユニット体１０は、平面視正方形状に限定されず、他の形状であってもよい。要は、浸透トレンチ用ユニット体１０同士を左右方向に並べて適切に結合状態とすることができるような形状であれば、五角形、六角形、七角形などであってもよい。また、前記保守管理用開口部１２Ｂは、アーチ状（上に凸の円弧状）に限定されず、その開口縁は多角形状であってもよい。また、前記ベース板１４に形成された凹溝１４Ｂは、縦断面が逆台形に限定されず、下に凸の円弧形状であってもよい。
【００５８】
また、前記側板部材１２０の材料としては、結合用舌片３０の一体成形容易性や、運搬・施工作業の容易さを考慮して、ポリプロピレン（ＰＰ）等の樹脂製のものが好ましい。また、再生ＰＰや再生ＰＥＴなどを使用することで、環境への配慮を図ることもできる。
【符号の説明】
【００５９】
１Ａ，１Ｂ  浸透トレンチ
１０        浸透トレンチ用ユニット体
１２        側壁部
１２Ｂ      保守管理用開口部
１４        ベース板（ベース部材）
１４Ａ      ベース板上面
１４Ｂ      凹溝
２１        端部
２３        側縁部
３０        結合用舌片
３０Ａ      折曲部
３０Ｂ      係合部
３１        結合用被係合部
３１Ａ      仮止め用被係合部
３１Ｂ      収納用被係合部
１２０      側板部材
Ａ          浸透トレンチ用ユニット体同士の結合構造
【図１】
2014020104.tif 000003
【図２】
2014020104.tif 000004
【図３】
2014020104.tif 000005
【図４】
2014020104.tif 000006
【図５】
2014020104.tif 000007
【図６】
2014020104.tif 000008
【図７】
2014020104.tif 000009
【図８】
2014020104.tif 000010